(57)【要約】【課題】複数画面表示機能を備える映像表示装置の利便性を向上する。【解決手段】映像表示装置は、複数画面を同時に表示する複数画面表示機能を備える。前記複数画面表示機能が使用されている場合に、撮像装置（不図示）から得られる情報に基づいて複数の視聴者間の位置関係の変化を検知するとともに、検知した前記位置関係の変化に応じて表示する画面状態の切り換え処理を行う制御部（不図示）を備える。【選択図】図２
2015018163.tif 000002
【特許請求の範囲】
【請求項１】
複数画面を同時に表示する複数画面表示機能を備える映像表示装置であって、
前記複数画面表示機能が使用されている場合に、撮像装置から得られる情報に基づいて複数の視聴者間の位置関係の変化を検知するとともに、検知した前記位置関係の変化に応じて表示する画面状態の切り換え処理を行う制御部を備えることを特徴とする映像表示装置。
【請求項２】
前記制御部は、前記複数画面表示機能が使用される場合に、各画面で表示する対象とその視聴者とを対応付けて記憶する処理を行い、当該記憶内容を加味して前記画面状態の切り換え処理を行うことを特徴とする請求項１に記載の映像表示装置。
【請求項３】
前記画面状態の切り換え処理には、画面サイズを切り換える処理が含まれることを特徴とする請求項１又は２に記載の映像表示装置。
【請求項４】
前記画面状態の切り換え処理には、画面配置を切り換える処理が含まれることを特徴とする請求項１から３のいずれかに記載の映像表示装置。
【請求項５】
前記画面状態の切り換え処理には、前記複数画面表示機能を停止して１画面表示に切り換える処理が含まれることを特徴とする請求項１から４のいずれかに記載の映像表示装置。
【請求項６】
前記制御部は、前記１画面表示とする処理を行った場合に、通信可能に接続される表示装置に対して、当該装置での表示を停止した表示対象のデータを前記表示装置に送信する処理を行うことを特徴とする請求項５に記載の映像表示装置。
【請求項７】
音声を出力する音声出力部が更に備えられ、
前記制御部は、前記位置関係の変化に応じて、前記音声出力部から出力される音声状態の切り換え処理を行うことを特徴とする請求項１から６のいずれかに記載の映像表示装置。
【請求項８】
前記制御部は、前記複数画面表示機能が使用されている場合であって、音声が出力されていない第１の画面より画面サイズが大きい第２の画面が存在する場合には、前記第１の画面に対応する字幕を前記第２の画面内に表示させる処理を行うことを特徴とする請求項７に記載の映像表示装置。
【請求項９】
複数の画面が同時に表示されている場合における映像表示制御方法であって、
撮像情報に基づいて、複数の視聴者間の位置関係の変化を検知するステップと、
検知した前記位置関係の変化に応じて、表示する画面状態の切り換え処理を行うステップと、
を備えることを特徴とする映像表示制御方法。
【発明の詳細な説明】
【技術分野】
【０００１】
本発明は、映像表示装置及び映像表示制御方法に関する。
【背景技術】
【０００２】
従来、テレビジョン受像機等の映像表示装置の中には、画面を分割して複数画面を同時に表示する機能（複数画面表示機能）を備えるものがある。そして、複数画面表示機能を備える映像表示装置の中には、視聴者がリモコン操作等の操作入力を行った場合に、当該操作入力を行った視聴者と映像表示装置との距離に応じて、自動的に複数画面の配置やサイズを設定するものがある（例えば特許文献１参照）。
【先行技術文献】
【特許文献】
【０００３】
【特許文献１】特開２００７−２８８３７９号公報
【発明の概要】
【発明が解決しようとする課題】
【０００４】
ところで、映像表示装置が備える複数画面表示機能を利用して、複数の視聴者が映像の視聴を行っている場合に、いずれかの視聴者が場所を移動して、視聴者間の位置関係（相対的な位置関係）が変わることがある。このような位置関係の変化としては、例えば、映像表示装置からの距離の関係が変わる場合や、映像表示装置からの距離は変わらないが左右方向や上下方向の位置関係が変わる場合等が想定される。なお、映像表示装置からの距離の関係が変わる場合の中には、いずれかの視聴者が映像表示装置を視聴できる位置から離れてしまうという場合も想定される。このような位置関係の変化が生じた場合、位置関係の変化が生じる前の画面状態（画面配置や画面サイズ等）では、視聴者にとって不都合に感じられることがある。
【０００５】
従来技術においては、このような場合に、リモコン操作等のキー操作を行って、複数画面の配置やサイズの変更等を行う必要がある。しかしながら、視聴者間の位置関係が変わる度に、リモコン操作等のキー操作が必要であるとすると、視聴者は、当該操作を煩わしく（負担に）感じるものと考えられる。複数画面の配置やサイズの変更等を行うための操作キー（リモコンや装置本体に設けられるキー）が、いつも視聴者の傍に有れば良いが、実際には、リモコン等は視聴者から離れた位置にあることが多々あり、前述の煩わしさが生じる可能性が高い。
【０００６】
以上の点に鑑みて、本発明の目的は、複数画面表示機能を備える映像表示装置の利便性を向上することである。また、本発明の他の目的は、視聴者の負担を軽減できる映像表示制御方法を提供することである。
【課題を解決するための手段】
【０００７】
上記目的を達成するために本発明の映像表示装置は、複数画面を同時に表示する複数画面表示機能を備える映像表示装置であって、前記複数画面表示機能が使用されている場合に、撮像装置から得られる情報に基づいて複数の視聴者間の位置関係の変化を検知するとともに、検知した前記位置関係の変化に応じて表示する画面状態の切り換え処理を行う制御部を備える構成（第１の構成）になっている。なお、撮像装置は、映像表示装置に内蔵される構成でもよいし、外付けされる構成であってもよい。
【０００８】
本構成によれば、複数画面表示機能が使用されている場合に、制御部が複数の視聴者間の位置関係（相対的な位置関係）の変化を検知して、当該検知内容に応じて画面状態（例えば画面配置や画面サイズ等）を切り換える処理を行う構成になっている。このために、複数画面表示機能が使用されている場合に、例えば、一部或いは全部の視聴者が場所を移動したり、一部の視聴者が映像表示装置から離れたりした場合でも、視聴者は、画面状態の切り換えのためにキー操作を行わなくて済む。
【０００９】
上記第１の構成の映像表示装置において、前記制御部は、前記複数画面表示機能が使用される場合に、各画面で表示する対象とその視聴者とを対応付けて記憶する処理を行い、当該記憶内容を加味して前記画面状態の切り換え処理を行う構成（第２の構成）であるのが好ましい。本構成によれば、複数の視聴者の様々な動きに対応して、適切な画面状態を提供し易い。各画面で表示する対象は、例えばテレビジョン番組であったり、光ディスクに記録される映像コンテンツであったりする。なお、画面状態の切り換え処理が行われた場合には、上述の記憶内容を更新するのが好ましい。
【００１０】
上記第１又は第２の構成の映像表示装置において、前記画面状態の切り換え処理には、画面サイズを切り換える処理が含まれる構成（第３の構成）が好ましい。本構成は、例えば、複数の視聴者の間で、映像表示装置からの距離が変化した場合等に、適切な画面状態を提供し易い。
【００１１】
上記第１から第３のいずれかの構成の映像表示装置において、前記画面状態の切り換え処理には、画面配置を切り換える処理が含まれる構成（第４の構成）が好ましい。画面配置の切り換えには、各画面で表示する対象（テレビジョン番組等）を入れ替える処理も含む趣旨である。本構成によれば、例えば、複数の視聴者の間で、左右方向や上下方向の位置関係が変化した場合等に、適切な画面状態を提供し易い。
【００１２】
上記第１から第４のいずれかの構成の映像表示装置において、前記画面状態の切り換え処理には、前記複数画面表示機能を停止して１画面表示に切り換える処理が含まれる構成（第５の構成）が好ましい。本構成によれば、例えば複数の視聴者のうちのいずれかが映像表示装置から離れた場合等に、適切な画面状態を提供し易い。
【００１３】
上記第５の構成の映像表示装置において、前記制御部は、前記１画面表示とする処理を行った場合に、通信可能に接続される表示装置に対して、当該映像表示装置での表示を停止した表示対象のデータを前記表示装置に送信する処理を行う構成（第６の構成）であってもよい。本構成によれば、例えば、映像表示装置を視聴していた視聴者のいずれかが、別の部屋に移動した場合に、特段のキー操作を行うことなく、部屋を移動した視聴者が先に見ていた映像を見続けられるという状況を得ることができる。
【００１４】
上記第１から第６のいずれかの構成の映像表示装置には、音声を出力する音声出力部が更に備えられ、前記制御部は、前記位置関係の変化に応じて、前記音声出力部から出力される音声状態の切り換え処理を行う構成（第７の構成）であるのが好ましい。本構成によれば、画面状態ばかりではなく、音声についても適切な状態を提供可能である。
【００１５】
上記第７の構成の映像表示装置において、前記制御部は、前記複数画面表示機能が使用されている場合であって、音声が出力されていない第１の画面より画面サイズが大きい第２の画面が存在する場合には、前記第１の画面に対応する字幕を前記第２の画面内に表示させる処理を行う構成（第８の構成）であるのが好ましい。本構成によれば、適切なサイズの字幕を見易くなる。
【００１６】
また、上記目的を達成するために本発明の映像表示制御方法（映像表示制御装置による制御方法）は、複数の画面が同時に表示されている場合における映像表示制御方法であって、撮像情報に基づいて、複数の視聴者間の位置関係の変化を検知するステップと、検知した前記位置関係の変化に応じて、表示する画面状態の切り換え処理を行うステップと、を備える構成（第９の構成）になっている。なお、本構成では、複数の画面は、１つの画面を分割して得られる構成でもよいし、複数のモニターによって得られる構成でもよい。
【００１７】
本構成によれば、他の視聴者との位置関係が変化した場合に、複数の視聴者のいずれもがキー操作を行わずとも、適切な画面状態での映像視聴が可能になるので便利である。
【発明の効果】
【００１８】
本発明によれば、複数画面表示機能を備える映像表示装置の利便性を向上することができる。また、本発明によれば、視聴者の負担を軽減できる映像表示制御方法を提供できる。
【図面の簡単な説明】
【００１９】
【図１】本発明の実施形態に係る映像表示装置の構成を示す機能ブロック図
【図２】本発明の実施形態に係る映像表示装置において、２画面表示機能が使用されている場合に、画面状態が自動的に切り換えられる流れを示すフローチャート
【図３】２画面表示モード時における、複数の視聴者間の位置関係の変化に伴う、画面状態の切り換え処理の第１の具体例を説明するための模式図
【図４】２画面表示モード時における、複数の視聴者間の位置関係の変化に伴う、画面状態の切り換え処理の第２の具体例を説明するための模式図
【図５】２画面表示モード時における、複数の視聴者間の位置関係の変化に伴う、画面状態の切り換え処理の第３の具体例を説明するための模式図
【図６】２画面表示モード時における、複数の視聴者間の位置関係の変化に伴う、画面状態の切り換え処理の第４の具体例を説明するための模式図
【図７】２画面表示モード時における、複数の視聴者間の位置関係の変化に伴う、画面状態の切り換え処理の第５の具体例を説明するための模式図
【図８】２画面表示モード時における、複数の視聴者間の位置関係の変化に伴う、画面状態の切り換え処理の第６の具体例を説明するための模式図
【図９】２画面表示モード時における、複数の視聴者間の位置関係の変化に伴う、画面状態の切り換え処理の第７の具体例を説明するための模式図
【発明を実施するための形態】
【００２０】
以下、本発明に係る、映像表示装置及び映像表示制御方法の実施形態について、図面を参照しながら詳細に説明する。
＜映像表示装置の概略構成＞
【００２１】
図１は、本発明の実施形態に係る映像表示装置１の構成を示す機能ブロック図である。なお、本発明の実施形態に係る映像表示装置１は、テレビジョン受像機である。図１に示すように、映像表示装置１には、アンテナ２及び外部機器３が接続されている。映像表示装置１は、アンテナ２を介して、放送局から所定周波数の高周波電波で発信されるテレビジョン（ＴＶ）放送信号（デジタル信号）を受信する。また、映像表示装置１は、外部機器３から映像信号及び音声信号（場合によっては映像信号のみの場合もある）を受信する。外部機器３としては、例えば、ハードディスクドライブ装置、メモリーカード、光ディスクプレーヤー、光ディスクレコーダー、ゲーム機器、デジタルカメラ、ビデオカメラ、ネットワークサーバー等が挙げられる。映像表示装置１に接続される外部機器３は、１つでも構わないが、複数であっても構わない。
【００２２】
第１及び第２のチューナー１１、１２は、視聴者（ユーザー）により選局されたチャンネルのＴＶ放送信号を、アンテナ２を介して受信するための装置である。映像表示装置１は、複数（本例では２つ）のチューナー１１、１２を備えるために、複数のＴＶ番組を同時に表示（複数画面表示機能を利用した表示）することが可能になっている。
【００２３】
第１のフロントエンド処理部１３は、第１のチューナー１１で受信したＴＶ放送信号の復調、誤り訂正処理を行い、多重化された信号の中から必要なＴＳ（Transport Stream）パケットを分離する。そして、第１のフロントエンド処理部１３は、映像表示装置１内の各ブロックに、それぞれ必要なＴＳパケットを供給する。第２のフロントエンド処理部１４は、第２のチューナー１２で受信したＴＶ放送信号について、第１のフロントエンド処理部１３と同様の処理を行う。
【００２４】
映像・音声処理部１５は、フロントエンド処理部１３、１４から入力される映像信号及び音声信号を含むＴＳパケットをデコードするＭＰＥＧ映像デコーダー及びＭＰＥＧ音声デコーダーを備える。また、映像・音声処理部１５は、フロントエンド処理部１３、１４から入力される文字情報を含む信号をデコードして文字情報を抽出する文字情報デコーダーを備える。なお、映像・音声処理部１５には、外部機器３から不図示の入力端子を介して、映像信号や音声信号を含む信号が入力され、映像・音声処理部１５は、外部機器３から入力された信号処理についても適宜実行する。
【００２５】
また、映像・音声処理部１５には、異なる２つのブロックから入力される映像信号を合成して、画面を２つに分割した分割画面を生成する回路が含まれている。当該回路は、合成した画面に、抽出された文字情報を適宜合成する。なお、前述の異なる２つのブロックは、第１のフロントエンド処理部１３と第２のフロントエンド処理部１４とであってもよいし、２つのフロントエンド処理部１３、１４のいずれか一方と、外部機器３とであってもよい。また、外部機器３が複数ある場合には、前述の２つのブロックが、いずれも外部機器であってもよい。
【００２６】
映像・音声処理部１５で処理された映像信号は、ＯＳＤ（On Screen Display）部１６を介してモニター部１７に出力される。モニター部１７は、ＯＳＤ部１６から受信した映像信号にしたがって、モニター画面に映像を表示する。なお、ＯＳＤ部１６は、映像・音声処理部１５から入力された映像信号を処理して、所定の表示画像を重畳した映像信号を生成する。また、映像・音声処理部１５で処理された音声信号は、ＯＳＤ部１６を介することなく、モニター部１７に出力される。モニター部１７には、スピーカー（音声出力部）が含まれており、モニター部１７は、受信した音声信号にしたがって音声を出力する。
【００２７】
メモリー１８は、映像・音声処理部１５でデコード処理された信号を一時的に記憶する。また、メモリー１８は、映像・音声処理部１５でデコード処理された映像信号に重畳させる表示画像データを記憶する。制御部１９は、ＣＰＵ（Central Processing Unit）の他、ＲＯＭ（Read On Memory）、ＲＡＭ（Random Access Memory）を含む。制御部１９は、ＲＯＭに記憶されているプログラムに従って各種の処理を実行し、映像表示装置１全体の動作を制御する。
【００２８】
入力部２０は、映像表示装置１の視聴者（ユーザー）が装置に指令を入力できるように設けられている。入力部２０は、例えば、装置本体に設けられる入力ボタン、及び／又は、受信部（装置本体に設けられる）と対になって使用されるリモコンであってよい。撮像部（撮像装置）２１は、映像表示装置１（モニター画面）の前に居る視聴者を撮像するために設けられている。撮像部２１は、本実施形態のように、映像表示装置１に内蔵される構成であってもよいが、外付けで映像表示装置１の周辺に配置される構成であってもよい。撮像部２１は、例えばＣＣＤ（Charge-Coupled Device）カメラ等で構成することができる。
＜映像表示に関する特徴的な構成＞
【００２９】
本実施形態の映像表示装置１は、２画面表示機能が使用されている場合に、複数の視聴者間における位置関係（相対的な位置関係）の変化に応じて、自動的に表示する画面状態を切り換える処理を実行する構成に特徴を有する。以下、この特徴的な構成について詳細に説明する。
【００３０】
図２は、本発明の実施形態に係る映像表示装置１において、２画面表示機能が使用されている場合に、画面状態が自動的に切り換えられる流れを示すフローチャートである。２画面表示機能は、例えば、入力部２０に設けられる２画面モードキー（不図示）が操作されることによって開始される。２画面モード（２画面表示機能が使用されている状態）では、モニター画面の画面表示が分割されて、２画面が同時に表示される。２画面モード開始時における画面状態（画面サイズ、画面配置等）は、視聴者が手動設定する構成であってもよいし、自動設定される構成であってもよい。
【００３１】
なお、２画面で表示される対象（表示対象）については、いずれの画面もＴＶ番組であってもよいし、一方がＴＶ番組で、他方が外部機器３から出力される映像（ビデオコンテンツ等）であってもよい。外部機器３が複数である場合には、いずれの画面も外部機器３から出力される映像であっても構わない。
【００３２】
２画面モードが開始されると、制御部１９は、画面状態の自動切り換え処理のための初期設定を開始する（ステップＳ１）。具体的には、制御部１９は、撮像部２１から得られる情報に基づいて、２画面モード開始時における複数の視聴者間の位置関係を記憶する。また、制御部１９は、各画面で表示される対象（ＴＶ番組等）と、その視聴者（視聴者の画像データ）とを対応付けて記憶する。
【００３３】
各画面の表示対象とその視聴者との対応付けは、例えば、２画面モード開始時に、撮像部２１で撮像された視聴者の顔等が利用されてもよい。この場合、例えば、２画面モード開始時に、画面毎に、撮像部２１からの情報によって画面の前に居る視聴者（一人又は複数）を決定し、当該決定にしたがって、各画面の表示対象と、その視聴者とが対応付けられるようにしてよい。
【００３４】
また、前述の対応付けの別の手法として、リモコンが利用されてもよい。例えば複数のリモコン毎にＩＤを決定しておき、各画面がどのリモコンで操作されているかという情報から、各画面の表示対象とその視聴者との対応付けが行われてもよい。また、１つのリモコンに、ユーザー毎の専用ボタンを設けておき、それを利用して前述の対応付けが行われてもよい。なお、当該リモコンを利用する例においては、前述のＩＤや専用ボタンとユーザーの顔画像等とを対応付けて、予め装置１の記憶部に記憶させておく必要がある。
【００３５】
初期設定が完了すると、制御部１９は、所定期間毎に撮像部２１から情報を取得して、複数の視聴者間の位置関係が変化したか否かを確認する（ステップＳ２）。位置関係の変化は、先の初期設定で記憶した位置関係と、現在取得した位置関係との比較により行う。どの程度移動した場合に位置関係が変化したというかについては、予め設定しておいた閾値にしたがって判断するようにすればよい。
【００３６】
視聴者間の位置関係に変化があると判断される場合（ステップＳ２でＹｅｓ）には、制御部１９は、当該位置関係の変化にしたがって、画面状態の切り換え処理を行う（ステップＳ３）。画面状態の変更には、画面サイズの変更、画面配置の変更、表示対象（ＴＶ番組等）の変更が含まれてよい。視聴者間の位置関係の変化と、それに従う画面状態の切り換え処理の具体例については後述する。
【００３７】
画面状態の切り換え処理が行われた場合には、制御部１９は、先に記憶された視聴者間の位置関係について、更新を行う（ステップＳ４）。具体的には、画面状態を変更した後に、撮像部２１から得られる視聴者間の位置関係を、先に記憶した位置関係に代えて記憶する。その後、制御部１９は、２画面モードが継続されるか否かを確認する（ステップＳ５）。２画面モードが継続される場合（ステップＳ５でＹｅｓ）には、ステップＳ２に戻る。一方、２画面モードが終了される場合（ステップＳ５でＮｏ）には、２画面モード時における、画面状態の自動切り換え処理を終了する。
【００３８】
なお、ステップＳ２で、視聴者間の位置関係に変化がないと判断される場合（ステップＳ２でＮｏ）には、ステップＳ５以降の処理が行われる。ステップＳ２で、視聴者間の位置関係に変化がないと判断される場合において、先に記憶（例えば初期設定で記憶）した視聴者間の位置関係について、最新の視聴者間の位置関係に更新した上で、ステップＳ５以降の処理が行われてもよい。
【００３９】
また、初期設定で各画面の表示対象とその視聴者との対応付けを行った後に、視聴者が視聴対象（視聴番組等）を変更することが考えられる。このために、視聴者が視聴対象を変更した場合に、その都度、各画面の表示対象とその視聴者との対応付けに関する設定を更新するように構成するのが好ましい。
【００４０】
以下、２画面表示モード時における、複数の視聴者間の位置関係の変化に伴う、画面状態の自動切り換え処理の具体例を示す。以下の具体例では、２画面モード時における、各画面の視聴者は一人ずつであるものとして説明する。そして、第１の視聴者Ｖ１がＴＶ番組Ａ（表示対象の一例）、第２の視聴者Ｖ２がＴＶ番組Ｂ（表示対象の一例）を視聴しているものとして説明する。以下で説明する切り換え処理の具体例は、映像表示装置１に単独で採用されるものでもよいが、可能な範囲で複数の処理が組み合わせて採用されても構わない。また、映像表示装置１が複数の切り換え処理を備える場合には、ユーザーが、その好みに応じて使用する切り換え処理機能を選択できるようにしてもよい。
（第１の具体例）
【００４１】
図３は、２画面表示モード時における、複数の視聴者間の位置関係の変化に伴う、画面状態の切り換え処理の第１の具体例を説明するための模式図である。なお、図３においては、モニター画面３０の上に破線枠が示され、その枠内に、ＴＶ番組Ａ、Ｂに対応付けてＯＮ・ＯＦＦが記載されている。このＯＮ・ＯＦＦは、音声出力の状態を示すものである。この点は、以後の図４から図９（第２〜第７の具体例）においても同様である。
【００４２】
図３に示す具体例では、最初、第１の視聴者Ｖ１と第２の視聴者Ｖ２とは、モニター画面３０（映像表示装置１と言い換えてもよい）から等距離に居る。そして、モニター画面３０からの距離が第１の視聴者Ｖ１に比べて第２の視聴者Ｖ２の方が近くなるように位置関係が変化することが想定されている。
【００４３】
第１の視聴者Ｖ１と第２の視聴者Ｖ２とが、モニター画面３０から等距離に居る場合には、各視聴者Ｖ１、Ｖ２が視聴するＴＶ番組を表示する画面のサイズ（左右の画面サイズ）は同じである。その後、モニター画面３０からの距離について、第２の視聴者Ｖ２の方が第１の視聴者Ｖ１に比べて近くなり（視聴者間の位置関係が変化して）、第１の視聴者Ｖ１が視聴する画面が大きくなり、第２の視聴者Ｖ２が視聴する画面が小さくなっている。音声については、モニター画面３０に近い第２の視聴者Ｖ２が視聴する画面側のみ出力されている。
【００４４】
本例では、モニター画面３０からの距離について、二人の視聴者Ｖ１、Ｖ２が同じ距離となる場合には、それぞれが視聴する画面のサイズが同じとなるように、画面サイズの切り換え処理が行われる。また、両者Ｖ１、Ｖ２の間でモニター画面３０からの距離の差が生じた場合には、遠い方の画面が大きく、近い方の画面が小さくなるように、画面サイズの切り換え処理が行われる。なお、音声については、距離が近い視聴者が視聴する画面（ＴＶ番組）の音声のみが出力される。二人の視聴者Ｖ１、Ｖ２がモニター画面３０から等距離に居る場合には、いずれか一方の画面から音声が出力される。音声が出力されない側の画面においては、自動的に字幕表示が実行されるようにしてもよい。
【００４５】
なお、本例では、モニター画面３０からの距離に関して、各画面の前に居る視聴者のうち、いずれが近く（遠く）なったかを判断して、画面サイズを切り換える構成である。このために、この例では、各画面における表示対象（ＴＶ番組等）とその視聴者とが対応付けられていなくてもよい。
（第２の具体例）
【００４６】
図４は、２画面表示モード時における、複数の視聴者間の位置関係の変化に伴う、画面状態の切り換え処理の第２の具体例を説明するための模式図である。この第２の具体例は、第１の具体例の場合とほぼ同様である。ただし、本例では、モニター画面３０からの距離が遠い視聴者が視聴している画面（ＴＶ番組）の音声のみが出力されるようになっている点で、第１の具体例と異なる。そして、この違いに対応して、画面状態の切り換え処理において、工夫が施されている。
【００４７】
本例では、画面サイズが小さくされる側（ＴＶ番組Ｂが表示されている画面側）で、音声が出力されなくなる。このために、音声が出力されないことを補うために、字幕３１の表示が行われた場合であっても、視聴者（この例では第２の視聴者Ｖ２）は字幕３１を読み難いと考えられる。この不具合を解消するために、画面サイズが小さくされた側の画面に対応する字幕３１（ＴＶ番組Ｂに対応する字幕３１）が、画面サイズが大きい側（ＴＶ番組Ａを表示する側）で表示されるようになっている。
（第３の具体例）
【００４８】
図５は、２画面表示モード時における、複数の視聴者間の位置関係の変化に伴う、画面状態の切り換え処理の第３の具体例を説明するための模式図である。図５に示す具体例では、最初、第１の視聴者Ｖ１と第２の視聴者Ｖ２とは、モニター画面３０から等距離に居る。そして、両者Ｖ１、Ｖ２の間で、モニター画面３０からの距離は変わらないが、垂直方向（上下方向）の位置関係が変化することが想定されている。垂直方向の位置関係の変化としては、例えば、最初に座って映像の視聴を行っていた二人の視聴者Ｖ１、Ｖ２のうちの一方（本例では第２の視聴者Ｖ２）が立ち上がった場合等が想定される。
【００４９】
第１の視聴者Ｖ１と第２の視聴者Ｖ２とが、いずれも座った姿勢でモニター画面３０から等距離に居る場合には、各視聴者Ｖ１、Ｖ２が視聴するＴＶ番組を表示する画面は、左右方向に並列配置され、画面サイズは同じである。その後、二人の視聴者Ｖ１、Ｖ２が居る場所については変化がないが、一方（視聴者Ｖ２）が座った状態から立ち上がり（視聴者間の位置関係に変化が見られ）、各視聴者Ｖ１、Ｖ２が視聴する画面の配置が変更されている。具体的には、第１の視聴者Ｖ１が視聴する画面が下、第２の視聴者Ｖ２が視聴する画面が上になるように、画面レイアウトについて切り換え処理が行われている。なお、ここでは、二人の視聴者Ｖ１、Ｖ２のモニター画面３０からの距離関係が同じなので２つの画面サイズは同サイズであるが、距離関係の違いに応じて、２つの画面のサイズに差がつけられてもよい。また、モニター画面３０からの距離が同じままなので、特に音声については切り換え処理は行われていない。
【００５０】
本例では、垂直方向（上下方向）の関係について、二人の視聴者Ｖ１、Ｖ２間で差がないと判断される状態となった場合は、それぞれが視聴する画面配置が横並びとなるように、画面配置の切り換え処理が行われる。また、垂直方向の関係について、二人の視聴者Ｖ１、Ｖ２間で差があると判断される状態となった場合には、高い方の視聴者が見ている画面が上側に配置され、低い方の視聴者が見ている画面が下側に配置されるように、画面配置の切り換え処理が行われる。
（第４の具体例）
【００５１】
図６は、２画面表示モード時における、複数の視聴者間の位置関係の変化に伴う、画面状態の切り換え処理の第４の具体例を説明するための模式図である。図６に示す具体例では、最初、第１の視聴者Ｖ１が第２の視聴者Ｖ２よりも、モニター画面３０に近い位置に居る。そして、両者Ｖ１、Ｖ２の間で、モニター画面３０からの距離に対する関係は変わらないが、左右方向の位置関係が入れ替わることが想定されている。
【００５２】
最初の状態では、第１の具体例に示す場合と同様に、モニター画面３０に近い第１の視聴者Ｖ１が視聴している画面（ＴＶ番組Ａを表示する）の方が、モニター画面３０から遠い第２の視聴者Ｖ２が視聴している画面（ＴＶ番組Ｂを表示する）より小さい。音声については、モニター画面３０に近い第１の視聴者Ｖ１が視聴している画面の音声のみが出力されている。その後、第１の視聴者Ｖ１と第２の視聴者Ｖ２の左右方向の位置が入れ替わり（視聴者間の位置関係に変化が見られ）、各視聴者Ｖ１、Ｖ２が視聴する画面の配置も入れ替っている。なお、二人の視聴者Ｖ１、Ｖ２の間で、モニター画面３０からの距離に対する関係が同じままなので、特に音声については切り換え処理は行われていない。
【００５３】
本例では、二人の視聴者Ｖ１、Ｖ２の間で、或る方向（例えば左右方向）の位置の入れ替わりが生じた場合には、各視聴者Ｖ１、Ｖ２が視聴している画面の位置が入れ替わるように、画面配置の切り換え処理が行われる。なお、別の言い方をすると、視聴者間の位置の入れ替えに対応して、視聴中の表示対象（ＴＶ番組等）の位置が入れ替わるように、画面状態の切り換え処理が行われる。
（第５の具体例）
【００５４】
図７は、２画面表示モード時における、複数の視聴者間の位置関係の変化に伴う、画面状態の切り換え処理の第５の具体例を説明するための模式図である。図７に示す具体例では、最初、第１の視聴者Ｖ１が第２の視聴者Ｖ２よりも、モニター画面３０に近い位置に居る。その後、第１の視聴者Ｖ１は、そのままの位置でＴＶ番組Ａの視聴を続けるが、第２の視聴者Ｖ２が映像表示装置１（モニター画面３０）の前から居なくなる場合が想定されている。なお、視聴者が映像表示装置１の前から居なくなるとは、当該視聴者が撮像部２１によって撮像されない状態が該当する。
【００５５】
最初の状態では、第１の具体例に示す場合と同様に、モニター画面３０に近い第１の視聴者Ｖ１が視聴している画面（ＴＶ番組Ａを表示する）の方が、モニター画面３０から遠い第２の視聴者Ｖ２が視聴している画面（ＴＶ番組Ｂを表示する）より小さい。音声については、モニター画面３０に近い第１の視聴者Ｖ１が視聴している画面の音声のみが出力されている。その後、第２の視聴者Ｖ２が居なくなり（視聴者間の位置関係に変化が見られ）、モニター画面３０には、第１の視聴者Ｖ１が視聴している画面（ＴＶ番組Ａを表示する）だけが表示される状態になっている。なお、音声については切り換え処理は行われていない。換言すると、第２の視聴者Ｖ２が居なくなることによって、第１の視聴者Ｖ１が視聴しているＴＶ番組Ａのみが表示される１画面モードに切り換わっている。
【００５６】
本例では、二人の視聴者Ｖ１、Ｖ２のうちの一方が居なくなった場合に、モニター画面３０の前で視聴をし続けている一方の視聴者の視聴番組（表示対象）だけが表示されるように、画面状態の切り換え処理が行われる。別の言い方をすると、本例では、二人の視聴者のうちの一方が居なくなると、２画面モードが停止（終了）されて、１画面モード（通常モード）に切り換える処理が行われる。なお、二人の視聴者がいずれも居なくなった場合（撮像部２１によって、二人の視聴者が所定期間検知されない場合）には、例えば、映像表示装置１の電源がオフされる構成や、画面表示のみがオフされて音声出力が維持される構成等が採用されてもよい。
（第６の具体例）
【００５７】
図８は、２画面表示モード時における、複数の視聴者間の位置関係の変化に伴う、画面状態の切り換え処理の第６の具体例を説明するための模式図である。この第６の具体例は、第５の具体例の場合とほぼ同様である。ただし、本例では、映像表示装置１（モニター画面３０）の前から第２の視聴者Ｖ２が居なくなった場合に、第１の視聴者Ｖ１が視聴中のＴＶ番組Ａの音声を出力するのではなく、第２の視聴者Ｖ２が視聴していたＴＶ番組Ｂの音声を出力するようになっている。
【００５８】
本例によれば、映像表示装置１の前から居なくなった第２の視聴者Ｖ２は、音声だけを聞くことができる。第１の視聴者Ｖ１は、音声が出力されない代わりに、例えば字幕表示によって視聴中の番組を楽しむことができる。
（第７の具体例）
【００５９】
図９は、２画面表示モード時における、複数の視聴者間の位置関係の変化に伴う、画面状態の切り換え処理の第７の具体例を説明するための模式図である。この第７の具体例は、第５の具体例の場合とほぼ同様である。ただし、本例では、映像表示装置１に対して通信可能に接続されるサブモニター４（表示装置）が存在しており、この点、第５の具体例と異なる。
【００６０】
本例では、映像表示装置１の前から第２の視聴者Ｖ２が居なくなった場合に、映像表示装置１には、第１の視聴者Ｖ１が視聴している画面（ＴＶ番組Ａを表示する）だけが表示され、当該画面に対応する音声（ＴＶ番組Ａの音声）のみが出力される。この点、第５の具体例と同様である。ただし、映像表示装置１の制御部１９は、映像表示を停止したＴＶ番組Ｂ（第２の視聴者Ｂが視聴していた番組）に関するデータを、サブモニター４に送信する。このために、サブモニター４において、ＴＶ番組Ｂの映像が表示され、当該番組の音声が出力されている。
【００６１】
本例によれば、映像表示装置１の前から居なくなった第２の視聴者Ｖ２は、映像表示装置１から離れた場所に設置してあるサブモニター１で、先に視聴していたＴＶ番組（表示対象）を引き続き視聴することができる。
＜映像表示装置の作用効果＞
【００６２】
以上に説明したように、本発明の実施形態に係る映像表示装置１では、２画面表示モードが使用されている場合に、撮像部２１から得られる情報に基づいて複数の視聴間の位置関係の変化を検知する。そして、当該検知結果に応じて表示する画面状態が自動的に切り換えられる。このために、２画面モード時において、映像表示装置１の視聴者は、視聴者間の位置関係の変化に応じて、例えば画面サイズや画面配置を切り換えるためにキー操作を行う必要がない。すなわち、本発明の実施形態に係る映像表示装置１は利便性に優れる。
＜その他＞
【００６３】
以上に示した実施形態は本発明の例示であり、本発明の適用範囲は、以上に示した実施形態の構成に限定されるものではない。本発明の技術思想を超えない範囲で、以上の実施形態は適宜変更されてよいのは勿論である。
【００６４】
例えば、以上に示した実施形態では、複数画面表示機能が２画面表示機能である場合を例示した。しかし、本発明は、複数画面表示機能によって表示される画面の数が３つ以上の場合にも適用可能である。
【００６５】
また、以上に示した実施形態では、複数画面表示機能が使用されている場合に、各画面を視聴する視聴者が一人ずつである場合を示した。しかし、本発明は、各画面を視聴する視聴者の数が複数の場合にも勿論適用可能である。各画面を視聴する視聴者の数が複数である場合には、例えば、複数の視聴者の全ての視聴者の動きを対象として位置関係の変化を検知するようにしてもよいし、複数の視聴者の特定の視聴者の動きを対象として位置関係の変化を検知するようにしてもよい。
【００６６】
また、以上に示した実施形態では、複数の視聴者間の位置関係の変化を検知した場合に、音声出力についても切り換え処理を行うようにしたが、場合によっては、音声出力については切り換えない構成であっても構わない。
【００６７】
また、以上において、複数の画面が同時に表示されている場合において、視聴者の位置関係が入れ替わった場合に、それに対応させて視聴中の表示対象の位置が入れ替えられる構成を示した（第４の具体例参照）。そして、この例では、複数の画面が１つの画面を分割して得られる構成とした。しかし、この例に係る発明は、複数の画面が複数のモニター（表示装置）で構成される場合にも適用可能である。
【符号の説明】
【００６８】
１  映像表示装置
４  サブモニター（表示装置）
１９  制御部
２１  撮像部（撮像装置）
３１  字幕
Ｖ１  第１の視聴者
Ｖ２  第２の視聴者
【図１】
2015018163.tif 000003
【図２】
2015018163.tif 000004
【図３】
2015018163.tif 000005
【図４】
2015018163.tif 000006
【図５】
2015018163.tif 000007
【図６】
2015018163.tif 000008
【図７】
2015018163.tif 000009
【図８】
2015018163.tif 000010
【図９】
2015018163.tif 000011